(57)【特許請求の範囲】
【請求項１】
本体を含み、前記本体の頂部には頂部空間が設置され、前記頂部空間の中には太陽熱を利用して発電できる太陽熱発電機構が設置され、前記太陽熱発電機構の左側には風力発電機構が設置され、前記風力発電機構は風力を利用して発電でき、前記本体の中には中部空間が設置され、前記中部空間の左側には第一保護空間が設置され、前記第一保護空間の中には第一保護カバーが設置され、前記中部空間の右側には第二保護空間が設置され、前記第二保護空間の中には第二保護カバーが設置され、前記第一保護カバーと前記第二保護カバーは前記太陽熱発電機構と前記風力発電機構を保護でき、前記中部空間の中には前記第一保護カバーと前記第二保護カバーを作動させることができる第一制御機構が設置され、前記中部空間の底部には前記第一制御機構に動力を提供する第一モーターが設置され、前記本体の頂部において右側に近接するところには灯具空間が設置され、前記灯具空間の中には警報機能を果たせる防空灯が設置され、前記防空灯の底部には前記防空灯を昇降させることができる昇降機構が設置され、前記灯具空間の後壁内には空き空間が設置され、前記空き空間の中には前記防空灯を保護できる保護機構が設置されていることを特徴とする風力と太陽熱により発電できる高楼防空装置。
【請求項２】
前記頂部空間の左壁内には第二モーターが固定的にはめ込まれ、前記第二モーターには右方に伸びる第一動力軸が伝動可能に連結され、前記頂部空間の左壁には第一回転板が回転可能に設置され、前記第一動力軸と前記第一回転板とが固定的に連結され、前記第一回転板の頂壁内には第三モーターが固定的に嵌め込まれ、前記第三モーターには上方に伸びる第一スクリューが伝動可能に連結され、前記第一回転板の頂壁には固定ロッドが固定的に設置され、前記固定ロッドの頂部には第二回転板が回転可能に設置され、前記第二回転板の中には第一スライド溝が形成され、前記第一スライド溝の中には第一スライドロッドがスライド可能に設置され、前記第一スライドロッドの前壁には第二スライドロッドが固定的に設置され、前記第二スライドロッドと前記第一スクリューとがネジ山により連結され、前記第二回転板の頂壁にはソーラパネルが固定的に設置され、前記ソーラパネルの四つの頂角にはいずれも第一光覚素子が固定的に設置されていることを特徴とする請求項１に記載の風力と太陽熱により発電できる高楼防空装置。
【請求項３】
前記本体の頂壁内には風力発電機が固定的に嵌め込まれ、前記風力発電機の底部には蓄電池が設置され、前記風力発電機には上方に伸びる第一回転軸が伝動力可能に連結され、前記第一回転軸の頂部末端には横ロッドが固定的に設置され、前記横ロッドの左右末端にはいずれもファンが固定的に設置されていることを特徴とする請求項１に記載の風力と太陽熱により発電できる高楼防空装置。
【請求項４】
前記第一モーターが前記中部空間の底壁内に固定的に嵌め込まれ、前記第一モーターには上方に伸びる第二スクリューが伝動可能に連結され、前記第二スクリューの外面には第一スライダがネジ山により連結され、前記第一スライダの左壁と右壁にはいずれも第二スライド溝が形成され、前記第二スライド溝の前後壁にはいずれも小スライド空間が設置され、前記第二スライド溝の中にはいずれも滑車がスライド可能に設置され、前記滑車にはそれぞれ第一コンロッドと第二コンロッドがヒンジで連結され、前記滑車には第三スライド溝が形成され、前記第三スライド溝の中には第三スライドロッドがスライド可能に設置され、前記第三スライドロッドが前記小スライド空間の中にスライド可能に設置されていることを特徴とする請求項１に記載の風力と太陽熱により発電できる高楼防空装置。
【請求項５】
前記第一保護空間と前記中部空間とが連通し、前記第一保護カバーが前記第一保護空間の中にスライド可能に設置され、前記中部空間の後壁には第一固定ロッドと第二固定ロッドが固定的に設置され、前記第一コンロッドが前記第一固定ロッドの外面に回転可能に設置され、前記第一保護カバーと前記第一コンロッドとがヒンジで連結され、前記第二保護空間と前記中部空間とが連通し、前記第二保護カバーが前記第二保護空間の中にスライド可能に設置され、前記第二コンロッドが前記第二固定ロッドの外面に回転可能に設置され、前記第二コンロッドと前記第二保護カバーとがヒンジで連結されていることを特徴とする請求項４に記載の風力と太陽熱により発電できる高楼防空装置。
【請求項６】
前記灯具空間の左壁内には第四モーターが固定的に嵌め込まれ、前記第四モーターには第三スクリューが伝動可能に連結され、前記第三スクリューの外周には二つのネジ山ブロックがネジ山により連結され、前記ネジ山ブロックには第三コンロッドがヒンジで連結され、前記灯具空間の中には第二スライダがスライド可能に設置され、前記第二スライダと前記第三コンロッドとが第四コンロッドにより連結され、前記第四コンロッドと前記第三コンロッドとがヒンジで連結され、前記第四コンロッドと前記第二スライダとがヒンジで連結され、前記第二スライダの頂部には防空灯が固定的に設置され、前記本体の頂部において右側に近接するところには第二光覚素子が固定的に設置され、前記灯具空間の底部には排水空間が前記灯具空間と連通になるように設置されていることを特徴とする請求項１に記載の風力と太陽熱により発電できる高楼防空装置。
【請求項７】
前記灯具空間の後側には空き空間が設置され、前記空き空間の底部にはスライド空間が前記空き空間と連通になるように設置され、前記スライド空間と前記灯具空間とが連通し、前記スライド空間の中には前後に伸びる第四スライドロッドがスライド可能に設置され、前記第四スライドロッドの前側末端には球形スライダが固定的に設置され、前記スライド空間の後側にはばね空間が前記スライド空間と連通になるように設置され、前記ばね空間の後壁には第一ばねが固定的に設置され、前記第一ばねと前記第四スライドロッドとが固定的に連結されていることを特徴とする請求項６に記載の風力と太陽熱により発電できる高楼防空装置。
【請求項８】
前記空き空間の左壁には第三固定ロッドが固定的に設置され、前記第三固定ロッドには第五コンロッドがヒンジで連結され、前記第五コンロッドの中には第四スライド溝が形成され、前記第三固定ロッドと前記第四スライド溝とがスライド可能に連結され、前記第五コンロッドと前記第四スライドロッドとがヒンジで連結され、前記空き空間と前記灯具空間との間には第五スライドロッドがスライド可能に設置され、前記第五スライドロッドが前記第五コンロッドと当接し、前記第五スライドロッドの底部には止め板が固定的に設置され、前記止め板と前記空き空間の前壁とが第二ばねにより連結されていることを特徴とする請求項７に記載の風力と太陽熱により発電できる高楼防空装置。
【発明の詳細な説明】
【技術分野】
【０００１】
本願発明は防空装置技術分野に関わり、具体的には風力と太陽熱により発電できる高楼防空装置である。
【背景技術】
【０００２】
経済の発展と、都市の建設発展につれて、多くの高楼が建てられてきた。中国の建築標準によれば、地面から頂部までの高さが四十五メートル以上に達する高層ビルには防空警報装置を設置しなければならなく、そのため、大量の防空灯が必要となり、それに応じて、大量の電力も必要となり、防空灯は室外の灯具で、風に当てて日に晒すことで老化しやすく、従い、風力エネルギーと太陽エネルギーにより発電できて老化を防止できる防空装置が必要となる。
【先行技術文献】
【特許文献】
【０００３】
【特許文献１】中国特許出願公開第１０４９６４２２７号明細書
【発明の概要】
【発明が解決しようとする課題】
【０００４】
本願発明は風力と太陽熱により発電できる高楼防空装置を提供することによって既存の技術にある上記の欠点を解消することを目的とする。
【課題を解決するための手段】
【０００５】
本願発明の風力と太陽熱により発電できる高楼防空装置は、本体を含み、前記本体の頂部には頂部空間が設置され、前記頂部空間の中には太陽熱を利用して発電できる太陽熱発電機構が設置され、前記太陽熱発電機構の左側には風力発電機構が設置され、前記風力発電機構は風力を利用して発電でき、前記本体の中には中部空間が設置され、前記中部空間の左側には第一保護空間が設置され、前記第一保護空間の中には第一保護カバーが設置され、前記中部空間の右側には第二保護空間が設置され、前記第二保護空間の中には第二保護カバーが設置され、前記第一保護カバーと前記第二保護カバーは前記太陽熱発電機構と前記風力発電機構を保護でき、前記中部空間の中には前記第一保護カバーと前記第二保護カバーを作動させることができる第一制御機構が設置され、前記中部空間の底部には前記第一制御機構に動力を提供する第一モーターが設置され、前記本体の頂部において右側に近接するところには灯具空間が設置され、前記灯具空間の中には警報機能を果たせる防空灯が設置され、前記防空灯の底部には前記防空灯を昇降させることができる昇降機構が設置され、前記灯具空間の後壁内には空き空間が設置され、前記空き空間の中には前記防空灯を保護できる保護機構が設置されている。
【０００６】
前記頂部空間の左壁内には第二モーターが固定的にはめ込まれ、前記第二モーターには右方に伸びる第一動力軸が伝動可能に連結され、前記頂部空間の左壁には第一回転板が回転可能に設置され、前記第一動力軸と前記第一回転板とが固定的に連結され、前記第一回転板の頂壁内には第三モーターが固定的に嵌め込まれ、前記第三モーターには上方に伸びる第一スクリューが伝動可能に連結され、前記第一回転板の頂壁には固定ロッドが固定的に設置され、前記固定ロッドの頂部には第二回転板が回転可能に設置され、前記第二回転板の中には第一スライド溝が形成され、前記第一スライド溝の中には第一スライドロッドがスライド可能に設置され、前記第一スライドロッドの前壁には第二スライドロッドが固定的に設置され、前記第二スライドロッドと前記第一スクリューとがネジ山により連結され、前記第二回転板の頂壁にはソーラパネルが固定的に設置され、前記ソーラパネルの四つの頂角にはいずれも第一光覚素子が固定的に設置されている。
【０００７】
前記本体の頂壁内には風力発電機が固定的に嵌め込まれ、前記風力発電機の底部には蓄電池が設置され、前記風力発電機には上方に伸びる第一回転軸が伝動力可能に連結され、前記第一回転軸の頂部末端には横ロッドが固定的に設置され、前記横ロッドの左右末端にはいずれもファンが固定的に設置されている。
【０００８】
前記第一モーターが前記中部空間の底壁内に固定的に嵌め込まれ、前記第一モーターには上方に伸びる第二スクリューが伝動可能に連結され、前記第二スクリューの外面には第一スライダがネジ山により連結され、前記第一スライダの左壁と右壁にはいずれも第二スライド溝が形成され、前記第二スライド溝の前後壁にはいずれも小スライド空間が設置され、前記第二スライド溝の中にはいずれも滑車がスライド可能に設置され、前記滑車にはそれぞれ第一コンロッドと第二コンロッドがヒンジで連結され、前記滑車には第三スライド溝が形成され、前記第三スライド溝の中には第三スライドロッドがスライド可能に設置され、前記第三スライドロッドが前記小スライド空間の中にスライド可能に設置されている。
【０００９】
前記第一保護空間と前記中部空間とが連通し、前記第一保護カバーが前記第一保護空間の中にスライド可能に設置され、前記中部空間の後壁には第一固定ロッドと第二固定ロッドが固定的に設置され、前記第一コンロッドが前記第一固定ロッドの外面に回転可能に設置され、前記第一保護カバーと前記第一コンロッドとがヒンジで連結され、前記第二保護空間と前記中部空間とが連通し、前記第二保護カバーが前記第二保護空間の中にスライド可能に設置され、前記第二コンロッドが前記第二固定ロッドの外面に回転可能に設置され、前記第二コンロッドと前記第二保護カバーとがヒンジで連結されている。
【００１０】
前記灯具空間の左壁内には第四モーターが固定的に嵌め込まれ、前記第四モーターには第三スクリューが伝動可能に連結され、前記第三スクリューの外周には二つのネジ山ブロックがネジ山により連結され、前記ネジ山ブロックには第三コンロッドがヒンジで連結され、前記灯具空間の中には第二スライダがスライド可能に設置され、前記第二スライダと前記第三コンロッドとが第四コンロッドにより連結され、前記第四コンロッドと前記第三コンロッドとがヒンジで連結され、前記第四コンロッドと前記第二スライダとがヒンジで連結され、前記第二スライダの頂部には防空灯が固定的に設置され、前記本体の頂部において右側に近接するところには第二光覚素子が固定的に設置され、前記灯具空間の底部には排水空間が前記灯具空間と連通になるように設置されている。
【００１１】
前記灯具空間の後側には空き空間が設置され、前記空き空間の底部にはスライド空間が前記空き空間と連通になるように設置され、前記スライド空間と前記灯具空間とが連通し、前記スライド空間の中には前後に伸びる第四スライドロッドがスライド可能に設置され、前記第四スライドロッドの前側末端には球形スライダが固定的に設置され、前記スライド空間の後側にはばね空間が前記スライド空間と連通になるように設置され、前記ばね空間の後壁には第一ばねが固定的に設置され、前記第一ばねと前記第四スライドロッドとが固定的に連結されている。
【００１２】
前記空き空間の左壁には第三固定ロッドが固定的に設置され、前記第三固定ロッドには第五コンロッドがヒンジで連結され、前記第五コンロッドの中には第四スライド溝が形成され、前記第三固定ロッドと前記第四スライド溝とがスライド可能に連結され、前記第五コンロッドと前記第四スライドロッドとがヒンジで連結され、前記空き空間と前記灯具空間との間には第五スライドロッドがスライド可能に設置され、前記第五スライドロッドが前記第五コンロッドと当接し、前記第五スライドロッドの底部には止め板が固定的に設置され、前記止め板と前記空き空間の前壁とが第二ばねにより連結されている。
【発明の効果】
【００１３】
本願発明の有益な効果は：本願発明は太陽熱発電機構を制御することにより太陽熱発電を行い、風力発電機構を制御することにより風力発電を行い、蓄電池により電力を蓄え、エネルギーの浪費を抑え、雨や曇の日に本願発明は発電できない情況を防ぎ、第一制御機構を制御することにより第一保護カバーと第二保護カバーを閉めれば、悪天候においても、太陽熱発電機構と風力発電機構を保護でき、昇降機構により防空灯の昇降を制御し、保護機構により灯具空間を閉じ、本願発明は使用されていない時、防空灯を保護し、防空灯の老化を抑え、防空灯の使用寿命を延ばし、コストを抑える。
【図面の簡単な説明】
【００１４】
下記に図１〜６をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の風力と太陽熱により発電できる高楼防空装置の全体構成概略図
【図２】図２は本願発明における保護カバーの閉じた状態の概略図
【図３】図３は図１の「Ａ」の部分拡大大概略図
【図４】図４は図１の「Ｂ」の部分拡大大概略図
【図５】図５は図１の「Ｃ」の部分拡大大概略図
【図６】図６は本願発明における保護機構の左面図
【発明を実施するための形態】
【００１６】
附図１〜６を参照し、本願発明は風力と太陽熱により発電できる高楼防空装置であり、本体１０を含み、前記本体１０の頂部には頂部空間２７が設置され、前記頂部空間２７の中には太陽熱を利用して発電できる太陽熱発電機構９０が設置され、前記太陽熱発電機構９０の左側には風力発電機構９１が設置され、前記風力発電機構９１は風力を利用して発電でき、前記本体１０の中には中部空間１１が設置され、前記中部空間１１の左側には第一保護空間１２が設置され、前記第一保護空間１２の中には第一保護カバー１３が設置され、前記中部空間１１の右側には第二保護空間１８が設置され、前記第二保護空間１８の中には第二保護カバー２１が設置され、前記第一保護カバー１３と前記第二保護カバー２１は前記太陽熱発電機構９０と前記風力発電機構９１を保護でき、前記中部空間１１の中には前記第一保護カバー１３と前記第二保護カバー２１を作動させることができる第一制御機構９２が設置され、前記中部空間１１の底部には前記第一制御機構９２に動力を提供する第一モーター１６が設置され、前記本体１０の頂部において右側に近接するところには灯具空間４０が設置され、前記灯具空間４０の中には警報機能を果たせる防空灯４７が設置され、前記防空灯４７の底部には前記防空灯４７を昇降させることができる昇降機構９３が設置され、前記灯具空間４０の後壁内には空き空間６２が設置され、前記空き空間６２の中には前記防空灯４７を保護できる保護機構９４が設置されている。
【００１７】
有益なように、前記頂部空間２７の左壁内には第二モーター２８が固定的にはめ込まれ、前記第二モーター２８には右方に伸びる第一動力軸２９が伝動可能に連結され、前記頂部空間２７の左壁には第一回転板３０が回転可能に設置され、前記第一動力軸２９と前記第一回転板３０とが固定的に連結され、前記第一回転板３０の頂壁内には第三モーター３１が固定的に嵌め込まれ、前記第三モーター３１には上方に伸びる第一スクリュー３２が伝動可能に連結され、前記第一回転板３０の頂壁には固定ロッド３９が固定的に設置され、前記固定ロッド３９の頂部には第二回転板３６が回転可能に設置され、前記第二回転板３６の中には第一スライド溝３５が形成され、前記第一スライド溝３５の中には第一スライドロッド３４がスライド可能に設置され、前記第一スライドロッド３４の前壁には第二スライドロッド３３が固定的に設置され、前記第二スライドロッド３３と前記第一スクリュー３２とがネジ山により連結され、前記第二回転板３６の頂壁にはソーラパネル３８が固定的に設置され、前記ソーラパネル３８の四つの頂角にはいずれも第一光覚素子３７が固定的に設置され、前記第一光覚素子３７が作動することで光の最適照射角度を確定でき、前記第二モーター２８を作動させることで前記第一動力軸２９が前記第一回転板３０を駆動して回転させ、そして前記固定ロッド３９が連動して前記第二回転板３６を駆動して回転させ、前記ソーラパネル３８を回転させ、前記第三モーター３１を作動させることで前記第一スクリュー３２を回転させ、そして前記第二スライドロッド３３が上昇又は下降し、前記第二回転板３６が前記ソーラパネル３８を駆動して回転させ、前記ソーラパネル３８を最適光照射角度と垂直にし、前記ソーラパネル３８の発電効果を極める。
【００１８】
有益なように、前記本体１０の頂壁内には風力発電機２３が固定的に嵌め込まれ、前記風力発電機２３の底部には蓄電池２２が設置され、前記風力発電機３２には上方に伸びる第一回転軸２４が伝動力可能に連結され、前記第一回転軸２４の頂部末端には横ロッド２５が固定的に設置され、前記横ロッド２５の左右末端にはいずれもファン２６が固定的に設置され、前記ファン２６が風に当てて回転することにより、前記横ロッド２５が前記第一回転軸２４を駆動して回転させ、前記風力発電機２３が作動して発電し、前記蓄電池２２は前記風力発電機構９１と前記太陽熱発電機構９０に生み出された電力を蓄えられる。
【００１９】
有益なように、前記第一モーター１６が前記中部空間１１の底壁内に固定的に嵌め込まれ、前記第一モーター１６には上方に伸びる第二スクリュー１７が伝動可能に連結され、前記第二スクリュー１７の外面には第一スライダ５２がネジ山により連結され、前記第一スライダ５２の左壁と右壁にはいずれも第二スライド溝５４が形成され、前記第二スライド溝５４の前後壁にはいずれも小スライド空間５３が設置され、前記第二スライド溝５４の中にはいずれも滑車４９がスライド可能に設置され、前記滑車４９にはそれぞれ第一コンロッド１４と第二コンロッド１９がヒンジで連結され、前記滑車４９には第三スライド溝５０が形成され、前記第三スライド溝５０の中には第三スライドロッド５１がスライド可能に設置され、前記第三スライドロッド５１が前記小スライド空間５３の中にスライド可能に設置され、前記第一モーター１６を作動させることにより、前記第二スクリュー１７が回転して前記第一スライダ５２を下降させ、そして前記第三スライドロッド５１が前記小スライド空間５３に沿って上方にスライドし、前記滑車４９を前記第二スライド溝５４に沿って上方にスライドさせ、そして前記第一コンロッド１４と前記第二コンロッド１９が回転する。
【００２０】
有益なように、前記第一保護空間１２と前記中部空間１１とが連通し、前記第一保護カバー１３が前記第一保護空間１２の中にスライド可能に設置され、前記中部空間１１の後壁には第一固定ロッド１５と第二固定ロッド２０が固定的に設置され、前記第一コンロッド１４が前記第一固定ロッド１５の外面に回転可能に設置され、前記第一保護カバー１３と前記第一コンロッド１４とがヒンジで連結され、前記第二保護空間１８と前記中部空間１１とが連通し、前記第二保護カバー２１が前記第二保護空間１８の中にスライド可能に設置され、前記第二コンロッド１９が前記第二固定ロッド２０の外面に回転可能に設置され、前記第二コンロッド１９と前記第二保護カバー２１とがヒンジで連結され、前記第一コンロッド１４と前記第二コンロッド１９を回転させることにより、前記第一保護カバー１３と前記第二保護カバー２１が開け又は閉じられる。
【００２１】
有益なように、前記灯具空間４０の左壁内には第四モーター４１が固定的に嵌め込まれ、前記第四モーター４１には第三スクリュー４２が伝動可能に連結され、前記第三スクリュー４２の外周には二つのネジ山ブロック４３がネジ山により連結され、前記ネジ山ブロック４３には第三コンロッド４４がヒンジで連結され、前記灯具空間４０の中には第二スライダ４６がスライド可能に設置され、前記第二スライダ４６と前記第三コンロッド４４とが第四コンロッド４５により連結され、前記第四コンロッド４５と前記第三コンロッド４４とがヒンジで連結され、前記第四コンロッド４５と前記第二スライダ４６とがヒンジで連結され、前記第二スライダ４６の頂部には防空灯４７が固定的に設置され、前記本体１０の頂部において右側に近接するところには第二光覚素子４８が固定的に設置され、前記灯具空間４０の底部には排水空間６７が前記灯具空間４０と連通になるように設置され、前記第二光覚素子４８を作動させることにより、外部の光線が弱めることを確定し、前記第四モーター４１を作動させることにより、前記第三スクリュー４２が回転し、二つの前記ネジ山ブロック４３を互いに近づくように移動させ、そして前記第三コンロッド４４が前記第二スライダ４６を駆動して上昇させ、前記防空灯４７を上昇させ、前記防空灯４７を発光させて防空警報を行い、前記排水空間６７を介して前記灯具空間４０内の雨水を排出する。
【００２２】
有益なように、前記灯具空間４０の後側には空き空間６２が設置され、前記空き空間６２の底部にはスライド空間５５が前記空き空間６２と連通になるように設置され、前記スライド空間５５と前記灯具空間４０とが連通し、前記スライド空間５５の中には前後に伸びる第四スライドロッド５６がスライド可能に設置され、前記第四スライドロッド５６の前側末端には球形スライダ６６が固定的に設置され、前記スライド空間５５の後側にはばね空間５７が前記スライド空間５５と連通になるように設置され、前記ばね空間５７の後壁には第一ばね５８が固定的に設置され、前記第一ばね５８と前記第四スライドロッド５６とが固定的に連結され、前記第二スライダ４６を下降させることにより、前記球形スライダ６６が後ろにスライドし、前記第四スライドロッド５６を後ろにスライドさせ、前記第二スライダ４６が上昇する時、前記球形スライダ６６が前記第四スライドロッド５６を駆動して前にスライドさせる。
【００２３】
有益なように、前記空き空間６２の左壁には第三固定ロッド６０が固定的に設置され、前記第三固定ロッド６０には第五コンロッド５９がヒンジで連結され、前記第五コンロッド５９の中には第四スライド溝６１が形成され、前記第三固定ロッド６０と前記第四スライド溝６１とがスライド可能に連結され、前記第五コンロッド５９と前記第四スライドロッド５６とがヒンジで連結され、前記空き空間６２と前記灯具空間４０との間には第五スライドロッド６３がスライド可能に設置され、前記第五スライドロッド６３が前記第五コンロッド５９と当接し、前記第五スライドロッド６３の底部には止め板６４が固定的に設置され、前記止め板６４と前記空き空間６２の前壁とが第二ばね６５により連結され、前記第四スライドロッド５６を後ろにスライドさせることにより、前記第五コンロッド５９が回転し、そして前記第五スライドロッド６３が前にスライドして前記灯具空間４０の中に伸びて前記防空灯４７を保護する。
【００２４】
使用する時、本願発明を高層ビルの頂部に取り付け、天気の良い日には、第一光覚素子３７の作動により最適光照射角度を確定し、第二モーター２８を作動させることにより、第一動力軸２９が第一回転板３０を駆動して回転させ、そして固定ロッド３９が第二回転板３６を駆動して回転させ、ソーラパネル３８を回転させ、第三モーター３１を作動させることにより、第一スクリュー３２を回転させ、第二スライドロッド３３を上昇又は下降させ、そして第二回転板３６がソーラパネル３８を駆動して回転させ、ソーラパネル３８を最適光照射角度と垂直にし、ソーラパネル３８により太陽熱発電を行い、ファン２６が風に当てて回転することにより、横ロッド２５が第一回転軸２４を駆動して回転させ、そして風力発電機２３が作動して発電し、蓄電池２２は風力発電機構９１と太陽熱発電機構９０に生み出された電力を蓄えられ、防空灯４７に電力を提供し、雷雨の天気に遭う時、第一モーター１６を作動させることにより、第二スクリュー１７が回転し、第一スライダ５２を下降させ、そして第三スライドロッド５１が小スライド空間５３に沿って上方にスライドし、滑車４９を第二スライド溝５４に沿って上方にスライドさせ、そして第一コンロッド１４と第二コンロッド１９が回転し、第一保護カバー１３と第二保護カバー２１が閉じて太陽熱発電機構９０と風力発電機構９１を保護し、日が沈んで暗くなる時、第二光覚素子４８を作動させることにより、外部の光線が弱めることを確定し、第四モーター４１を作動させることにより、第三スクリュー４２が回転して二つのネジ山ブロック４３を互いに近づくように移動させ、そして第三コンロッド４４が第二スライダ４６を駆動して上昇させ、防空灯４７を上昇させ、防空灯４７を発光させて防空警報を行い、夜が明ける時、前記第二光覚素子４８を作動させることにより、外部の光線が強めることを確定し、第四モーター４１を逆転させることにより、第三スクリュー４２が逆転し、二つのネジ山ブロック４３を分離させ、そして第三コンロッド４４が第二スライダ４６を駆動して下降させ、球形スライダ６６が後ろにスライドし、第四スライダ５６を後ろにスライドさせ、そして第五コンロッド５９が回転し、第五スライドロッド６３が前にスライドして灯具空間４０の中に伸びて灯具空間４０を閉じ、こうして防空灯４７を保護する。
【００２５】
本願発明の有益な効果は：本願発明は太陽熱発電機構を制御することにより太陽熱発電を行い、風力発電機構を制御することにより風力発電を行い、蓄電池により電力を蓄え、エネルギーの浪費を抑え、雨や曇の日に本願発明は発電できない情況を防ぎ、第一制御機構を制御することにより第一保護カバーと第二保護カバーを閉めれば、悪天候においても、太陽熱発電機構と風力発電機構を保護でき、昇降機構により防空灯の昇降を制御し、保護機構により灯具空間を閉じ、本願発明は使用されていない時、防空灯を保護し、防空灯の老化を抑え、防空灯の使用寿命を延ばし、コストを抑える。
【００２６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【要約】
【課題】本発明は風力と太陽熱により発電できる高楼防空装置を開示した。
【解決手段】
本体を含み、前記本体の頂部には頂部空間が設置され、前記頂部空間の中には太陽熱を利用して発電できる太陽熱発電機構が設置され、前記太陽熱発電機構の左側には風力発電機構が設置され、本願発明は太陽熱発電機構を制御することにより太陽熱発電を行い、風力発電機構を制御することにより風力発電を行い、蓄電池により電力を蓄え、エネルギーの浪費を抑え、雨や曇の日に本願発明は発電できない情況を防ぎ、第一制御機構を制御することにより第一保護カバーと第二保護カバーを閉めれば、悪天候においても、太陽熱発電機構と風力発電機構を保護でき、昇降機構により防空灯の昇降を制御し、保護機構により灯具空間を閉じ、本願発明は使用されていない時、防空灯を保護し、防空灯の老化を抑え、防空灯の使用寿命を延ばし、コストを抑える。
【選択図】図１【図１】
0006802433.tif 000002
【図２】
0006802433.tif 000003
【図３】
0006802433.tif 000004
【図４】
0006802433.tif 000005
【図５】
0006802433.tif 000006
【図６】
0006802433.tif 000007